(57)【特許請求の範囲】
【請求項１】
座部と該座部の一側に揺動自在に設けられた背部と前記座部の他側に揺動自在に設けられた脚部とを有する椅子上部と、
下部に車輪が設けられるとともに前記椅子上部をスライド可能に載置させる椅子下部と、
を有する入浴用車椅子において、
前記背部の後側に、その上部の後下方への揺動で前記脚部をその下部が上方へ移動するよう揺動させるハンドルを前記背部とは別体で設けてなり、
前記背部は、揺動範囲を規制する揺動部材を介して揺動可能に設けられ、前記揺動範囲内で前記ハンドルの揺動とともに一体に揺動し、前記揺動範囲外で前記ハンドルに対して離間可能に設けられていることを特徴とする入浴用車椅子。
【請求項２】
前記背部を前記ハンドルへの当接方向に付勢する付勢手段と、
前記ハンドルのその上部の後下方への揺動時に、該付勢手段による付勢で前記ハンドルとともに揺動する前記背部に所定位置で当接してそれ以上の揺動を規制するストッパ手段と、
が設けられていることを特徴とする請求項１記載の入浴用車椅子。
【発明の詳細な説明】
【０００１】
【発明の属する技術分野】
本発明は、入浴者を座らせたまま入浴装置へ移送させ入浴を行わせることが可能な入浴用車椅子に関する。
【０００２】
【従来の技術】
入浴者を座らせたまま入浴装置へ移送させることが可能な入浴用車椅子として、座部と該座部の一側に揺動自在に設けられた背部と座部の他側に揺動自在に設けられた脚部とを有する椅子上部と、下部に車輪が設けられるとともに椅子上部をスライド可能に載置させる椅子下部とを有し、椅子上部を椅子下部に対し後方にスライドさせることにより、後方に配置された入浴装置に椅子上部のみを入浴者とともに移送させるものである。
従来のこの種の入浴用車椅子は、椅子上部の椅子下部に対する後方スライド時における脚部の椅子下部への干渉を避けるため、椅子上部の背部に該背部と一体にハンドルを設け、その上部の後下方への揺動で脚部をその下部が上方へ移動するよう揺動させるようになっており、このハンドルの揺動で一体に設けられた背部も揺動して入浴者を横たわる状態とするようになっている。
【０００３】
【発明が解決しようとする課題】
ところで、入浴者に応じて背部の入浴時の姿勢は調整可能であることが好ましいが、上記従来の入浴用車椅子は、ハンドルを背部と一体に設けているため、脚部を揺動させるのに必要なハンドルの既定の揺動角度で背部の入浴時の姿勢も決まってしまうことになり、背部の入浴時の姿勢を調整することは困難であった。したがって、本発明の目的は、背部の入浴時の姿勢を容易に調整することが可能となる入浴用車椅子を提供することである。
【０００４】
【課題を解決するための手段】
上記目的を達成するため、本発明の請求項１記載の入浴用車椅子は、座部と該座部の一側に揺動自在に設けられた背部と前記座部の他側に揺動自在に設けられた脚部とを有する椅子上部と、下部に車輪が設けられるとともに前記椅子上部をスライド可能に載置させる椅子下部とを有するものであって、前記背部の後側に、その上部の後下方への揺動で前記脚部をその下部が上方へ移動するよう揺動させるハンドルを前記背部とは別体で設けてなり、前記背部は、揺動範囲を規制する揺動部材を介して揺動可能に設けられ、前記揺動範囲内で前記ハンドルの揺動とともに一体に揺動し、前記揺動範囲外で前記ハンドルに対して離間可能に設けられていることを特徴としている。
これにより、脚部を揺動させるハンドルを背部とは別体で設けているため、ハンドルの揺動角度と背部の揺動角度すなわち入浴時の姿勢とを切り離すことができる。
本発明の請求項２記載の入浴用車椅子は、請求項１記載のものに関し、前記背部を前記ハンドルへの当接方向に付勢する付勢手段と、前記ハンドルのその上部の後下方への揺動時に、該付勢手段による付勢で前記ハンドルとともに揺動する前記背部に所定位置で当接してそれ以上の揺動を規制するストッパ手段と、が設けられていることを特徴としている。
これにより、脚部を揺動させるためハンドルを揺動させると、該ハンドルに付勢手段で付勢され当接された背部が、途中までハンドルと一体的に揺動するとともにストッパ手段に当接してそれ以上の揺動が規制されることで停止される。よって、ハンドルの揺動角度と背部の揺動角度すなわち入浴時の姿勢とを切り離すことができる上、ハンドルの揺動に連動して背部を揺動させることができる。
【０００５】
【発明の実施の形態】
本発明の一の実施の形態による入浴用車椅子を図１〜図１２を参照して以下に説明する。なお、以下における前後左右は、座った入浴者を基準とした前後左右である。
図１に示すように、入浴用車椅子は、入浴者を前側に座らせるとともに後側から介護者により操作される椅子上部１１と、該椅子上部１１を前後にスライドおよび固定自在に載置させる走行可能な椅子下部１２とで構成されている。
【０００６】
椅子下部１２は、下部の四隅に車輪１３が回転自在に支持されており、またその上側に前後方向に延在するレール１４が二本、互いに左右に離間して取り付けられている。
これに対し椅子上部１１には、これらレール１４上を走行するためのローラ１５が左右方向に回転軸線を配置した状態で複数回転自在に設けられている。ここで、これらローラ１５は、両レール１４に位置を合わせて左右に二列配置されており、それぞれの列の前端および後端のローラ１５にはレール１４の内側に案内されることで左右方向の移動を規制するフランジ部１５ａが設けられている。
【０００７】
椅子上部１１は、図１〜図３に示すように、略水平配置された入浴者を着座させるための座部１７と、支持部材１８を介して座部１７の後側に水平配置された支持軸１９に、該支持軸１９を中心に揺動自在となるよう支持された入浴者の背を支承するための背部２０と、該背部２０の後側に近接して該背部２０とは別体で揺動可能に設けられたハンドル２１と、背部２０の座部１７に対し反対側に水平配置された支持軸２２に、該支持軸２２を中心に揺動自在となるよう支持された入浴者の頭を支承するための頭部２３と、座部１７の前側に水平配置された支持軸２４に、該支持軸２４を中心に揺動自在に支持された入浴者の脚を支承するための脚部２５とを有している。
【０００８】
椅子上部１１は、入浴者を入浴装置外で移動させる際の通常状態において、背部２０が、座部１７に対し反対側が上方かつ若干後方に位置するように配置される。
また、脚部２５は、通常状態において、その座部１７側が該座部１７と略連続するように水平配置され、座部１７に対し反対側が下方かつ若干前方に延出するように配置され、さらに座部１７に対し最も反対側の足受部２６が略水平前方に延出するように配置される。
【０００９】
ハンドル２１は、図３および図４に示すように、背部２０の後側に該背部２０と同じ支持軸１９に該支持軸１９を中心に揺動自在となるよう支持されている。
このハンドル２１は支持軸１９に対し反対側となる上部に左右両側方に延出する棒状の把持部２８，２９を有している。
また、ハンドル２１には、該ハンドル２１と一体に揺動する揺動部材３１が支持軸１９を介して反対側に延出するよう設けられており、該揺動部材３１の先端には、ハンドル２１の延在方向に略沿って延びる長穴３２が形成されていて、この長穴３２内には、該長穴３２に沿って移動可能なピン３３が設けられている。
【００１０】
そして、座部１７には、長穴３２内において支持軸１９側に位置するピン３３を前後に案内する円弧状のガイド部３４ａを有する案内部材３４が固定されており、該案内部材３４の前後には、ピン３３に当接してその前後の移動限界位置を決めるストッパ部３５，３６が形成されている。また、前後のストッパ部３５，３６の内側には、長穴３２内において支持軸１９に対し反対側に位置するピン３３を入り込ませてその前後方向の移動を規制することによりハンドル２１の位置を固定させる係合溝３７，３８が形成されている。
【００１１】
ここで、ピン３３が後側のストッパ部３６に当接する状態および後側の係合溝３８に係合する状態において、支持軸１９から上側に位置するハンドル２１は鉛直に対し所定角度上側が後側に位置するよう傾斜した状態（図１および図４に示す状態。この位置を起立側位置と称す）とされ、また、ピン３３が前側のストッパ部３５に当接する状態および前側の係合溝３７に係合する状態において、支持軸１９から上側に位置するハンドル２１は鉛直に対し前記より大きい所定角度上側が後側に位置するよう傾斜した状態（図５に示す状態。この位置を傾倒側位置と称す）とされる。そして、ピン３３と案内部材３４とでハンドル２１は、起立側位置と傾倒側位置との間においてのみ揺動可能とされている。
【００１２】
ハンドル２１には、ピン３３を長穴３２内で支持軸１９の方向に近接させて係合溝３７，３８から離間させ、さらには、ピン３３を長穴３２内で支持軸１９に対し反対方向に離間させて係合溝３７，３８に係合させる状態とに切り換え可能なリンク機構４０が設けられている。
このリンク機構４０は、図３に示すように、左右方向に延在するとともに左端側においてハンドル２１に揺動自在に支持されたアーム４１と、該アーム４１の中間所定位置に揺動自在に支持されるとともに下方に延出してピン３３を支持するアーム４２とを有しており、アーム４１の右端部は、ハンドル２１の右側の把持部２８の支持軸１９側すなわち下側に該把持部２８と略平行をなし、しかも該把持部２８に介護者が右手を添えた状態で該右手の指で係止可能な距離離間した位置に配置されてレバー（ハンドルロック解除レバー）４３とされている。なお、アーム４２は下方に向けバネ部材４４で付勢されている。
【００１３】
これにより、把持部２８に右手を添えた状態で該右手の指で係止したレバー４３を図３において二点鎖線で示すように把持部２８方向に引くと、アーム４２がバネ部材４４の付勢力に抗して上昇してピン３３を支持軸１９の方向に移動させる。このようにして、ピン３３を長穴３２内で支持軸１９の方向に移動させて係合溝３７，３８から抜き係合を解除させることができる。また、このように係合溝３７，３８からピン３３を抜いた状態でハンドル２１を若干移動させて係合溝３７，３８からピン３３をずらすことにより、レバー４３を離してもピン３３の移動すなわちハンドル２１の揺動が可能となり、このようにして移動したピン３３が係合溝３７，３８に位置が合うことでバネ部材４４の付勢力で係合溝３７，３８に係合されハンドル２１が固定状態となる。
【００１４】
ハンドル２１には、図１に示すように、該ハンドル２１と一体に揺動する揺動部材４６が支持軸１９を介して反対側に延出するよう設けられており、該揺動部材４６の先端側と脚部２５との間には、該揺動部材４６の揺動に連動して脚部２５を揺動させるリンク機構４７が設けられている。このリンク機構４７は、揺動部材４６の先端に該先端から前方に延出するよう支持されて該揺動部材４６の揺動で前後に移動するアーム４８と、脚部２５の支持軸２４に該支持軸２４を中心に揺動するよう上端側が支持されその他端側がアーム４８の前端に支持され、アーム４８の前後移動で揺動するアーム４９とを有しており、該アーム４９に脚部２５が固定されている。
【００１５】
これにより、図１に示すようにハンドル２１が起立側位置に位置する状態で座部１７より下側に位置していた脚部２５は、図５に示すようにハンドル２１のその上部の後下方への揺動すなわち傾倒側位置への揺動で、アーム４８を介して生じるアーム４９の下側が前方に移動する方向の回転力で、座部１７に対し反対側すなわち足受部２６側が上方に位置するように揺動される。
ここで、図５に示すようにハンドル２１が傾倒側位置まで揺動された状態において、脚部２５は、椅子上部１１の椅子下部１２に対し前後方向にスライドする際、具体的には椅子上部１１が椅子下部１２のレール１４およびこれに連続するよう配置された図示せぬ入浴装置のレールを走行する際に、該椅子下部１２に対し干渉せぬ高さに配置されることになる。
【００１６】
背部２０には、図６に示すように、該背部２０と一体に揺動する揺動部材５１（本発明の揺動部材に相当する）が支持軸１９を介して反対方向に延出するよう設けられており、該揺動部材５１にはピン５２が、支持軸１９を介して背部２０の反対側に支持軸１９と平行に固定されている。このピン５２は、支持軸１９を支持する支持部材１８に左右方向に穿設された穴部５３に挿入されており、該穴部５３の大きさはピン５２の大きさより大きくされていて、背部２０および揺動部材５１の揺動によりピン５２は穴部５３の上下方向の略中心位置を前後に移動するようになっている。
【００１７】
ここで、穴部５３の上下方向の略中心位置の前側には穴部５３内に一部突出可能な位置決め用ネジ部材（ストッパ手段）５４が前方から螺合されており、穴部５３の上下方向の略中心位置の後側には穴部５４内に突出可能な位置決め用ネジ部材５５が後方から螺合されていて、これら位置決め用ネジ部材５４，５５が穴部５３内に突出した状態においては、背部２０および揺動部材５１の揺動によりピン５２は前方の移動が前側の位置決め用ネジ部材５４に当接することで規制され、後方の移動が後側の位置決め用ネジ頭部５５に当接することで規制されることになる。そして、これら位置決め用ネジ部材５４，５５の穴部５３内における突出量を変更することでピン５２の前後の移動範囲すなわち背部２０および揺動部材５１の揺動範囲が変更されることになる。
【００１８】
また、揺動部材５１のピン５２を介して支持軸１９の反対側位置には、引張力を発生させるバネ部材（付勢手段）５７の一端が係合されており、該バネ部材５７の他端側は、前方に向けられた状態で座部１７における揺動部材５１より前方に配置された係合部材５８に係合されている。これにより、揺動部材５１はその下側が前方に向け付勢され、その結果、背部２０がその上側が後下方に向け付勢されることになる。
【００１９】
ここで、ハンドル２１には、背部２０の方向に突出してゴム等の当接部材６０が複数固定されており、背部２０は、バネ部材５７の付勢力でこの該当接部材６０の方向に付勢され該当接部材６０に当接可能とされている。そして、図１に示すように、ハンドル２１が起立側位置にある状態において背部２０はハンドル２１の当接部材６０にバネ部材５７の付勢力で当接され、このとき、背部２０はその上部が後側に位置するよう若干傾斜することになるが、鉛直に対する角度は、起立側位置にあるハンドル２１よりも若干小さくなっている。
【００２０】
そして、この状態から、ハンドル２１がその上部を後下方へ揺動させ傾倒側位置に至る際に、その所定位置まで背部２０は該ハンドル２１の当接部材６０にバネ部材５７の付勢力で当接された状態で一体に揺動し、そのピン５２が前側の位置決め用ネジ部材５４に当接することでそれ以上の移動が規制されて停止し、その後も揺動するハンドル２１に対し離間する。
【００２１】
なお、後側の位置決め用ネジ部材５５は、例えば、起立側位置にあるハンドル２１の当接部材６０に当接された背部２０のガタ付きを防止する等の目的で設けられたもので、起立側位置にあるハンドル２１の当接部材６０に背部２０が当接された状態において、ピン５２に当接するようにその穴部５３内への突出長を調整しておく。
【００２２】
椅子下部１２の後部上面側には、図７に示すように、下方に穿設された穴部６２が設けられており、他方、椅子上部１１には、上下移動自在のロック部材６３が下方へバネ６３ｂに付勢されて設けられている。そして、該ロック部材６３は、椅子上部１１のすべてのローラ１５が椅子下部１２のレール１４上に載置された所定位置にあるとき、椅子下部１２の穴部６２に嵌挿されて該椅子下部１２に対し椅子上部１１を固定させる。
さらに、椅子上部１１には、ロック部材６３の前方に左右方向に配置された支持軸６４と、該支持軸６４に中間所定位置において揺動自在に支持されるとともに一側の作動部６５ａが後方に延出してロック部材６３の上部の係止頭部６３ａの下側に配置されるとともに他側の当接部６５ｂが作動部６５ａに対し反対側が上側に位置するよう傾斜して延在する揺動部材６５とが設けられている。
【００２３】
そして、ハンドル２１には、図３に示すように、支持軸１９側に支持したピン６７を揺動部材６５に対し近接離間するよう移動可能なリンク機構６８が設けられている。
このリンク機構６８は、左右方向に延在するとともにその中間所定位置においてハンドル２１に揺動自在に支持されたアーム６９と、該アーム６９の右端部に揺動自在に支持されるとともに下方に延出してピン６７を支持するアーム７０とを有しており、アーム７０の左端部は、ハンドル２１の左側の把持部２９の支持軸１９側すなわち下側に該把持部２９と略平行をなし、しかも介護者が該把持部２９に左手を添えた状態で該左手の指で係止可能な距離離間した位置に配置されてレバー（上下ロック解除レバー）７１とされている。なお、アーム７０は上方に向けバネ部材７２で付勢されている。
ここで、ピン６７は、ハンドル２１が傾倒側位置まで揺動された状態においてアーム７０の移動で揺動部材６５の当接部６５ｂに当接可能とされており、ハンドル２１が傾倒側位置まで揺動された以外の状態においては揺動部材６５への当接が不可な位置に配置されている。
【００２４】
これにより、図８に実線で示すように介護者が傾倒側位置までハンドル２１を揺動させた状態で、把持部２９に左手を添えて該左手の指で係止したレバー７１を図３に二点鎖線で示すように把持部２９の方向に引くと、アーム７０がバネ部材７２の付勢力に抗して下降してピン６７を揺動部材６５の方向に移動させ、図８に二点鎖線で示すように該揺動部材６５の当接部６５ｂに当接させてこれを押圧して支持軸６４を中心に揺動させ、この揺動で揺動部材６５の作動部６５ａが上方向に移動して、椅子下部１２の穴部６２に嵌合されていたロック部材６３を上昇させて穴部６２から抜き取る。これにより椅子上部１１が椅子下部１２に対しロックが解除されてスライド自在となる。
【００２５】
他方、介護者がレバー７１を離すと、リンク機構６８がバネ部材７２の付勢力でピン６７が揺動部材６５から離間する方向に移動し、よって揺動部材６５はピン６７からの押圧力が解除される。すると、揺動部材６５はバネ６３ｂで作動部６５ａを下方に移動させる。これにより、ロック部材６３もバネ６３ｂで下方向に移動可能とされ、穴部６２と位置が合った状態では該穴部６２に嵌挿されて椅子上部１１を椅子下部１２に対し固定する。
【００２６】
頭部２３には、側方に延出するピン７４が支持軸２２より上側に該支持軸２２と平行に固定されている。このピン７４は、支持軸２２を支持する背部２０の上部の支持部７５に左右方向に穿設された穴部７６に挿入されており、該穴部７６は支持軸２２を中心とした円弧状をなしていて、これによりピン７４は穴部７６の形状で、その背部２０に対する揺動の角度範囲が決められている。
【００２７】
そして、頭部２３には、ピン７４を介して支持部７５の反対側となる位置に、支持軸２２の方向に突出しまた逆方向に引込むよう設けられるとともに突出方向に付勢されたピン７８と該ピン７８を外力で引込み方向に移動させるための操作部７９とを有する係合体８０が設けられている。他方、背部２０の支持部７５には、該係合体８０のピン７８が突出状態で嵌合し引込み状態で抜かれる複数具体的には三つの穴部８１ａ〜８１ｃが支持軸２２を中心とした円弧上にそれぞれ離間配置されている。
【００２８】
ここで、最も頭部２３側の穴部８１ａに係合体８０のピン７８が嵌合された状態において、頭部２３は上部が後方に位置するよう傾斜しかつ背部２０に対する揺動角度が最も小さい最小揺動状態（図９において実線で示す状態）となり、また、中央の穴部８１ｂに係合体８０のピン７８が嵌合された状態において、頭部２３は上部が後方に位置するよう傾斜しかつ背部２０に対する揺動角度が前記最小揺動状態より大きい中間揺動状態（図９において二点鎖線で示す状態）となり、さらに、頭部２３に対し反対側の穴部８１ｃに係合体８０のピン７８が嵌合された状態において、頭部２３は上部が後方に位置するよう傾斜しかつ背部２０に対する揺動角度が前記中間揺動状態よりも大きい最大揺動状態（図９において一点鎖線で示す状態）となる。
【００２９】
背部２０には、図２および図３に示すように、左右両側方に突出する支持軸８３，８４が設けられており、これら支持軸８３，８４には、中間所定位置を中心として両側が略９０゜屈曲する形状の屈曲部材８５，８６がその一側において所定の角度範囲で回動自在に支持されている。さらに、これら屈曲部材８５，８６の他側には、手すり８７，８８が回動自在に設けられている。
右側の手すり８７は、中間所定位置を中心として両側が略９０゜屈曲する形状をなしており、その一側の腕部８９において屈曲部材８５に回動自在に支持されていて他側が入浴者が把持する把持部９０とされている。左側の手すり８８も、中間所定位置を中心として両側が略９０゜屈曲する形状をなしており、その一側の腕部９１において屈曲部材８６に回動自在に支持されていて他側が入浴者が把持する把持部９２とされている。
【００３０】
屈曲部材８５，８６は、手すり８７，８８の腕部８９，９１を背部２０に対し前方向に延在させて入浴者による把持部９０，９２の把持に適する状態と（図１、図２および図５に示す状態。使用状態と称す）、該手すり８７，８８を頭部２３側に揺動させ、さらに頭部２３の背後側に該頭部２３に近接して位置させる状態（非使用状態と称す）との間で揺動させるようにその支持軸８３，８４に対する回動範囲が決められている。また、手すり８７，８８は、それぞれの把持部９０，９２が近接方向に延在する状態（図１、図２および図５に示す状態。把持格納状態と称す）と、把持部９０，９２を相互に略平行をなすよう離間方向に揺動させて、頭部２３との干渉を防止した状態で該頭部２３を前後に越えさせる状態（干渉防止状態と称す）との間で回動するようその屈曲部材８５，８６に対する回動範囲が決められている。さらに、手すり８７，８８は屈曲部材８５，８６に対し前記把持格納状態方向に付勢されている。
なお、両手すり８７，８８は、ともに使用状態にあるとそれぞれの腕部８９，９１同士を略平行に配置させることになり、ともに非使用状態にあるときもそれぞれの腕部８９，９１同士を略平行に配置させることになる。
【００３１】
ここで、左右の支持軸８３，８４、屈曲部材８５，８６および手すり８７，８８は、左右対称形状とされている点が相違するのみであるため、左側を例にとりその詳細を説明する。
図１０に示すように、屈曲部材８６は一側に支持軸８４を嵌合させる嵌合穴９４が形成されており、他側に手すり８８の腕部９１を嵌合させる嵌合穴９５が形成されている。
図１０および図１１に示すように、支持軸８４にはその屈曲部材８６への嵌合範囲における外径側にネジ穴部９６が形成されており、該ネジ穴部９６にネジ部材９７が螺合されている。該ネジ部材９７は、屈曲部材８６に所定位置に円周方向に沿って形成された長穴９８内に配置されている。そして、この長穴９８のネジ部材９７に対する位置および長さにより、屈曲部材８６は、支持軸８４に対する上記した回動範囲が決められている。
【００３２】
また、図１０および図１２に示すように、手すり８８には、その腕部９１の屈曲部材８６への嵌合範囲において径方向に貫通する貫通孔１００が形成されている。この貫通孔１００にはネジ部材１０１が挿通されており、該ネジ部材１０１は、そのネジ頭部１０１ａに対し反対側の、貫通孔１００から突出する部分にナット部材１０２が螺合されることにより手すり８８に固定されている。ネジ頭部１０１ａおよびナット部材１０２は、屈曲部材８６の所定位置に円周方向に沿って形成された長穴１０３ａおよび長穴１０３ｂ内に配置されている。そして、長穴１０３ａのネジ頭部１０１ａに対する位置および長さと長穴１０３ｂのナット部材１０２に対する位置および長さとにより、手すり８８は屈曲部材８６に対する上記した回動範囲が決められている。
【００３３】
ここで、手すり８８の腕部９１の端面にはその外端側に係止穴１０４が穿設されており、該端面に対向する嵌合穴９５の底面にも外端側に係止穴１０５が穿設されている。そして、手すり８８の端面と嵌合穴９５の底面との間には、係止穴１０４，１０５に両端部が係止された状態でコイル状のバネ部材１０６が設けられている。このバネ部材１０６は、上記したように手すり８８を屈曲部材８６に対し前記把持格納状態方向に付勢している。
【００３４】
以上のような構成の入浴用車椅子の動作について説明する。
まず、入浴者を座らせた状態で移動させる、つまり車椅子としての本来の機能を果たす際には、図１に示すように、ハンドル２１は、鉛直に対し所定角度後側に傾斜した起立側位置に位置され、その揺動部材３１のピン３３を案内部材３４の後側の係合溝３８に係合させてロック状態とされている。
そして、背部２０は、バネ部材５７の付勢力でこの起立側位置に位置するハンドル２１の当接部材６０に当接された状態とされ、鉛直に対し所定角度後側に傾斜した状態とされている。
加えて、座部１７のロック部材６３は、穴部６２に嵌合されて椅子上部１１と椅子下部１２とをロックしている。
【００３５】
さらに、ハンドル２１が起立側位置でロックされているため、脚部２５も、座部１７側が座部１７と略連続するように水平配置され、座部１７に対し反対側が下方かつ若干前方に延出するように配置され、さらに座部１７に対し最も反対側の足受部２６が略水平前方に延出するように配置された状態でロックされている。
加えて、頭部２３は、付設された係合体８０のピン７８が最も頭部２３側の穴部８１ａに嵌合された状態とされ、頭部２３は背部２０に対する揺動角度が最も小さい最小揺動状態とされている。
【００３６】
また、両屈曲部材８５，８６はそれぞれに設けられた手すり８７，８８を背部２０に対し前方向に延在させて入浴者による把持部９０，９２の把持が可能な使用状態とさせており、両手すり８７，８８はそれぞれ、バネ部材１０６の付勢力で互いの把持部９０，９２同士を近接させるように配置されている。
以上により、座部１７に着座された入浴者は、背部２０で背中が支承され、頭部２３で頭が支承され、足受部２６に足を載置させた状態で脚部２５で脚が支承された状態とされる。さらに手すり８７，８８の把持部９０，９２を把持可能な状態とされる。
【００３７】
このような状態で介護者が後方に立ちハンドル２１を押し引きして入浴者毎入浴用車椅子をその後方に図示せぬ入浴装置が位置するようにして該入浴装置の前側の所定の位置に位置させる。
次に、介護者が、ハンドル２１の把持部２８に手を添えた状態で右側のレバー４３を引くと、リンク機構４０のアーム４２がバネ部材４４の付勢力に抗して上昇し下部位置に設けられたピン３３を上昇させる。これにより、ピン３３が案内部材３４の後側の係合溝３８から抜かれて、ハンドル２１はロックが解除された揺動可能な状態となる。
【００３８】
この状態で、介護者はハンドル２１をその上部が後下方に位置するように支持軸１９を中心に揺動させる。すると、ハンドル２１に連結されたリンク機構４７を介して脚部２５が、その下部である足受部２６を前上方へ位置させるよう揺動させられるとともに、ハンドル２１の当接部材６０に当接させられた背部２０がバネ部材５７の付勢力で該ハンドル２１と一体的にその上部が後下方に位置するように揺動する。
【００３９】
そして、ハンドル２１と一体的に揺動する背部２０に設けられた揺動部材５１のピン５２が穴部５３の前側の位置決め用ネジ部材５４に当接すると、背部２０はそれ以上の揺動が規制されて停止される。他方、ハンドル２１は、さらに揺動されることで脚部２５を揺動させ、そのピン３３を案内部材３４の前側のストッパ部３５に当接させるとそれ以上の揺動が規制される。この状態でレバー４３を離すと（あるいは揺動途中でレバー４３を離していると）、ピン３３がバネ部材４４の付勢力で下降し前側の係合溝３７に入り込んでハンドル２１が傾倒側位置でロックされる。
以上により、背部２０が倒れるとともに、脚部２５が持ち上がって、椅子上部１１はいわゆるリクライニングの状態となり、入浴者はほぼ横たわった状態になる。
【００４０】
次に、介護者は、ハンドル２１の把持部２９に手を添えた状態で左側のレバー７１を引くと、リンク機構６８のアーム７０がバネ部材７２の付勢力に抗して下昇し下部位置に設けられたピン６７をこのとき対向状態となる揺動部材６５の方向に移動させ該揺動部材６５に当接させてこれを作動部６５ａを上昇させるよう揺動させる。すると、ロック部材６３が上昇し、穴部６２から抜かれ、椅子上部１１の椅子下部１２に対するロックが解除される。この状態でハンドル２１を引くことで、脚部２５が上昇され椅子下部１２に対する干渉が防止された状態の椅子上部１１を入浴者とともに、椅子下部１２のレール１４上でスライドさせ、該レール１４に連続するよう配置された図示せぬ入浴装置側のレール上に移送される。
【００４１】
そして、このようにして入浴装置に椅子上部１１とともに移送された入浴者に対し入浴装置で入浴を行わせる。
このとき、必要に応じて、係合体８０のピン７８を穴部８１ａ〜８１ｃの嵌合されているものから抜いて頭部２３を揺動させた後、係合体８０のピン７８を穴部８１ａ〜８１ｃの適宜のものに挿入させることにより、リクライニング状態で頭を支承する頭部２３の背部２０に対する角度を調整し、入浴者の頭の角度を調整して、入浴者に対し洗髪を行う上で好ましい姿勢をとらせるた上で洗髪を行うことができるようにする。
そして入浴が終了後、入浴用車椅子は、上記とは逆に、椅子上部１１が入浴者とともに椅子下部１２に移送された後、椅子下部１２にロック部材６３でロックされハンドル２１が起立側位置に戻されて通常状態に戻される。
【００４２】
また、入浴者を椅子上部１１に座らせる際、あるいは椅子上部１１から移動させる際に、手すり８７，８８が邪魔になる場合には、介護者は、把持部９０，９２を掴んで、両手すり８７，８８をその把持部９０，９２が互いに離間し略平行をなすようにバネ部材１０６の付勢力に抗して屈曲部材８５，８６に対して回動させて干渉防止状態としつつ、屈曲部材８５，８６を支持軸８３，８４に対し回動させて、手すり８７，８８を頭部２３より後側に位置させる。そして、屈曲部材８５，８６は最終的に支持軸８３，８４のネジ部材９７に長穴９８の一端部を当接させるまで回動させられるとそれ以上の回動が規制されて停止させられる。また、手すり８７，８８が頭部２３を越えた後に介護者が手を離すと、手すり８７，８８は、バネ部材１０６の付勢力でそのネジ部材１０１およびナット部材１０２を屈曲部材８５，８６に形成された長穴１０３ａ，１０３ｂのそれぞれの一端部に当接させるまで自動的に回動して停止する。
以上の状態で、手すり８７，８８は頭部２３の直後に位置する非使用状態にあって把持部９０，９２同士を近接させる把持格納状態とされる。
【００４３】
他方、手すりを戻す際には、両手すり８７，８８をその把持部９０，９２が互いに離間し略平行をなすようにバネ部材１０６の付勢力に抗して屈曲部材８５，８６に対して回動させて干渉防止状態としつつ、屈曲部材８５，８６を支持軸８３，８４に対し回動させて、手すり８７，８８を頭部２３より前側に位置させる。そして、屈曲部材８５，８６は最終的に支持軸８３，８４のネジ部材９７に長穴９８の上記に対し反対側の他端部を当接させるまで回動させられるとそれ以上の回動が規制されて停止させられる。また、手すり８７，８８は頭部２３を越えた後に介護者が手を離すと、バネ部材１０６の付勢力でそのネジ部材１０１およびナット部材１０２を屈曲部材８５，８６に形成された長穴１０３ａ，１０３ｂの上記と同じ一端部に当接させるまで自動的に回動して停止する。
この状態で、手すり８７，８８は頭部２３の前側の使用状態にあって把持部９０，９２同士を近接させる把持格納状態とされる。
【００４４】
以上に述べた入浴用車椅子によれば、椅子上部１１の背部２０の後側に該背部２０とは別に、その上部の後下方への揺動で脚部２５をその下部が上方へ移動するよう揺動させるハンドル２１を設けてなるため、ハンドル２１の揺動角度と背部２０の揺動角度すなわち入浴時の姿勢とを切り離すことができる。
したがって、背部２０の入浴時の姿勢を容易に調整することが可能となる。具体的には、ピン５２を移動させる穴部５３の位置決めネジ部材５４の突出量を変えればハンドル２１の必要な揺動角度とは無関係に背部２０の揺動角度を調整することができるのである。勿論、ピン５２の大きさを変更したり穴部５３の位置あるいは大きさ自体を変更したりしても良く、この場合も比較的小さな変更で対応できる。
【００４５】
しかも、脚部２５を揺動させるためハンドル２１を揺動させると、該ハンドル２１の当接部材６０にバネ部材５７で付勢されて当接された背部２０が、途中までハンドル２１と一体的に揺動するとともにピン５２が穴部５３の位置決めネジ部材５４に当接してそれ以上の揺動が規制されると停止される。よって、ハンドル２１の揺動角度と背部２０の揺動角度すなわち入浴時の姿勢とを切り離すことができる上、ハンドル２１の揺動に連動して背部２０を揺動させることができる。
したがって、ハンドル２１の揺動と別に背部２０を揺動させる必要はないため、操作性を向上させることができる。
【００４６】
さらに、ハンドル２１の起立側位置および傾倒側位置の二カ所の揺動角度位置における固定を解除するレバー４３がハンドル２１に設けられているため、レバー４３の操作による固定解除に続くハンドル２１の揺動という一連の操作の操作性を向上させることができる。
加えて、椅子上部１１の椅子下部１２に対する固定を解除するレバー７１がハンドル２１に設けられているため、レバー７１の操作による固定解除に続くハンドル２１を介しての椅子上部１１のスライドという一連の操作の操作性を向上させることができる。
【００４７】
また、頭部２３が背部２０に対し揺動自在とされかつ背部２０に対し複数の角度位置で固定可能とされているため、椅子上部１１がリクライニング状態にあって入浴者の頭を頭部２３で支承した状態で洗髪を行う際に、頭部２３を背部２０に対し揺動させて所望の角度位置で固定させることにより、入浴者の頭の角度を所望の角度にすることができる。
したがって、洗髪を行う際に、入浴者に対し洗髪を行う上で好ましい姿勢をとらせることができ、介護者による洗髪の作業性を向上させることができる。
【００４８】
さらに、入浴者の乗り移り時等において手すり８７，８８を退避させるために、手すり８７，８８のそれぞれの把持部９０，９２同士を離間させるよう回動させて頭部２３の後側に位置するように揺動させ、その後に、手を離すと、両手すり８７，８８は、それぞれの把持部９０，９２同士を近接させる方向に付勢されているため、自動的にそれぞれの把持部９０，９２同士を近接させるよう揺動されて畳まれた状態となる。
したがって、揺動されて頭部２３の後側に位置するように配置された手すり８７，８８の把持部９０，９２が自動的に介護者に邪魔にならない状態となり、よって、介護者の作業性を向上させることができる。
【００４９】
逆に、手すり８７，８８を使用するため、手すり８７，８８のそれぞれの把持部９０，９２同士を離間させるよう回動させて、頭部２３の前側に位置するように揺動させ、その後に、手を離すと、両手すり８７，８８は、それぞれの把持部９０，９２同士を近接させる方向に付勢されているため、自動的にそれぞれの把持部９０，９２同士を近接させるよう揺動されて入浴者による把持が可能な状態となる。
【００５０】
【発明の効果】
以上詳述したように、本発明の請求項１記載の入浴用車椅子によれば、脚部を揺動させるハンドルを背部とは別体で揺動可能に設け、背部を揺動範囲を規制する揺動部材を介して揺動可能に設け、その揺動範囲内でハンドルの揺動とともに一体に揺動し、揺動範囲外でハンドルに対して離間可能に設けているため、ハンドルの揺動角度と背部の揺動角度すなわち入浴時の姿勢とを切り離すことができる。
したがって、背部の入浴時の姿勢を容易に調整することが可能となる。
【００５１】
本発明の請求項２記載の入浴用車椅子によれば、脚部を揺動させるためハンドルを揺動させると、該ハンドルに付勢手段で付勢され当接された背部が、途中までハンドルと一体的に揺動するとともにストッパ手段に当接してそれ以上の揺動が規制されることで停止される。よって、ハンドルの揺動角度と背部の揺動角度すなわち入浴時の姿勢とを切り離すことができる上、ハンドルの揺動に連動して背部を揺動させることができる。
したがって、ハンドルの揺動と別に背部を揺動させる必要はないため、操作性を向上させることができる。
【００５２】
また、ハンドルの各揺動角度位置における固定を解除するハンドルロック解除レバーがハンドルに設けられているため、レバー操作による固定解除に続くハンドルの揺動という一連の操作の操作性を向上させることができる。
【００５３】
さらに、椅子上部の椅子下部に対する固定を解除する上下ロック解除レバーがハンドルに設けられているため、レバー操作による固定解除に続くハンドルを介しての椅子上部のスライドという一連の操作の操作性を向上させることができる。
【図面の簡単な説明】
【図１】  本発明の一の実施の形態による入浴用車椅子を示す側面図である。
【図２】  本発明の一の実施の形態による入浴用車椅子を示す正面図である。
【図３】  本発明の一の実施の形態による入浴用車椅子の背部等を示す背面図である。
【図４】  本発明の一の実施の形態による入浴用車椅子の背部およびハンドル等を示す側面図である。
【図５】  本発明の一の実施の形態による入浴用車椅子を示す側面図であって、ハンドルが傾倒側位置にある状態を示すものである。
【図６】  本発明の一の実施の形態による入浴用車椅子の背部の下部周辺を示す側面図である。
【図７】  本発明の一の実施の形態による入浴用車椅子の起立側位置にある状態のハンドルの下部周辺を示す側面図である。
【図８】  本発明の一の実施の形態による入浴用車椅子の傾倒側位置にある状態のハンドルの下部周辺を示す側面図である。
【図９】  本発明の一の実施の形態による入浴用車椅子の頭部および背部を示す側面図である。
【図１０】  本発明の一の実施の形態による入浴用車椅子の一方の手すり等を示す断面図である。
【図１１】  本発明の一の実施の形態による入浴用車椅子の一方の屈曲部材の回動範囲を決める構成等を示す断面図である。
【図１２】  本発明の一の実施の形態による入浴用車椅子の一方の手すりの回動範囲を決める構成等を示す断面図である。
【符号の説明】
１１  椅子上部
１２  椅子下部
１３  車輪
１７  座部
２０  背部
２１  ハンドル
２５  脚部
４３  レバー（ハンドルロック解除レバー）
５４  位置決め用ネジ部材（ストッパ手段）
５７  バネ部材（付勢手段）
７１  レバー（上下ロック解除レバー）
【図１】
0003936029.tif 000002
【図２】
0003936029.tif 000003
【図３】
0003936029.tif 000004
【図４】
0003936029.tif 000005
【図５】
0003936029.tif 000006
【図６】
0003936029.tif 000007
【図７】
0003936029.tif 000008
【図８】
0003936029.tif 000009
【図９】
0003936029.tif 000010
【図１０】
0003936029.tif 000011
【図１１】
0003936029.tif 000012
【図１２】
0003936029.tif 000013